(57)【要約】      （修正有）【課題】冷却効率を改善し、軽量の小型な間接式気化式冷却装置とする。【解決手段】気化現象を生じさせる為のウエット・チャネルと、被冷却空気を通すドライ・チャネルとの間に中空体の形状を角状又はコルゲーション状とし、気体の流通性をよくしたプラスチック構造体からなる基盤１を配置する。これらウエット・チャネルとドライ・チャネルとを交互に配置するように積層して多数配列し、この多数配列した中空体の形状を角状又はコルゲーション状とし、気体の流通性をよくしたプラスチック構造体内に外気を導入するとともに隣接するウエット・チャネル内に乾燥空気を通過させ、中空体の形状を角状又はコルゲーション状とし、気体の流通性をよくしたプラスチック構造体を冷却する。【選択図】図１
0003160534.tif 000002
【実用新案登録請求の範囲】
【請求項１】
気化現象を生じさせる為のウエット・チャネルと、被冷却空気を通すドライ・チャネルとの間に中空体の形状を角状又はコルゲーション状とし、気体の流通性をよくしたプラスチック構造体を配置し、これらウエット・チャネルとドライ・チャネルとを交互に配置するように積層して多数配列し、この多数配列した前記中空体の形状を角状又はコルゲーション状とし、気体の流通性をよくしたプラスチック構造体内に外気を導入するとともに隣接する前記ウエット・チャネル内に乾燥空気を通過させ、このウエット・チャネル内の水の気化現象により前記中空体の形状を角状又はコルゲーション状とし、気体の流通性をよくしたプラスチック構造体を冷却し、前記中空体の形状を角状又はコルゲーション状とし、気体の流通性をよくしたプラスチック構造体内を通過する空気を冷却させて給気することを特徴とする間接式気化式冷却装置。
【請求項２】
前記中空体の形状を角状又はコルゲーション状とし、気体の流通性をよくしたプラスチック構造体の中空個室を有する芯体の両面に表面が吸水性の保水層を備える基盤によってドライ・チャネルを形成し、この保水層を有する面にスペーサーを配置してウエット・チャンネルを形成し、このウエット・チャネル内に水を供給することを特徴とする請求項１に記載の間接式気化式冷却装置。
【請求項３】
前記基盤の保水層が織布、不織布を織り込んだ親水性の紙または吸着剤を含むシートであることを特徴とする請求項１または請求項２に記載の間接式気化式冷却装置。
【請求項４】
中空体の形状を角状又はコルゲーション状とし、気体の流通性をよくしたプラスチック構造体と中空体の形状を角状又はコルゲーション状とし、気体の流通性をよくしたプラスチック構造体との間に空気の流通を幇助するスペーサーを介在してウエット・チャネルを形成し、被冷却空気の流入口側の端縁に遮蔽壁を突設形成して被冷却空気が進入しないようにするとともに該スペーサーの上側に切欠部を有して排気口を形成することを特徴とする請求項１乃至請求項３のいずれか１つの項に記載の間接式気化式冷却装置。
【請求項５】
角状の中空を多数有する中空体の形状を角状又はコルゲーション状とし、気体の流通性をよくしたプラスチック構造体を芯体とし、この中空体の形状を角状又はコルゲーション状とし、気体の流通性をよくしたプラスチック構造体の両表面に保水層を備えた基盤と、この基盤の保水層面に接触し、上側縁の一部を開口切欠して排気口形成し、前記中空体の形状を角状又はコルゲーション状とし、気体の流通性をよくしたプラスチック構造体と同質の材料からなり、空気の流通可能な特殊形状のスペーサーと、を積重して前記スペーサーの排気口を上側にして多数枚重ねて組合せてウエット・チャネル及びドライ・チャネルを形成し、これらを多段に積層して形成し、被冷却空気を前記基盤の中空体の形状を角状又はコルゲーション状とし、気体の流通性をよくしたプラスチック構造体内の中空部分に流入口側から送入し、給気口側に排出して外部に供給するとともにウエット・チャネルである前記スペーサー内に乾燥空気を導入し、前記スペーサーの上側に設けた排気口から湿気を含む空気を排気し、前記基盤内の中空体の形状を角状又はコルゲーション状とし、気体の流通性をよくしたプラスチック構造体を通過する被冷却空気を冷却することを特徴とする間接式気化式冷却装置。
【請求項６】
ウエット・チャネルからの排気を室内の湿度を増加させ加湿器として使用することを特徴とする請求項１乃至請求項５に記載のいずれか１つの項に記載の間接式気化式冷却装置。
【考案の詳細な説明】
【技術分野】
【０００１】  本考案は、所定の間隔で基盤を積層して形成する加湿冷却ゾーン（ウエット・チャネル）と被冷却空気ゾーン（ドライ・チャネル）とを交互に隣接配置して被冷却空気ゾーンに流入した空気を冷却する間接気化式冷却装置に関する。特に、新規な基盤構造に関する。
【背景技術】
【０００２】  水の気化熱を利用して空気を冷却する方法は古くから使用されている。しかし、水を気化させる通路に配置された基板とこれに隣接する通路に送入される流体との熱交換の効率は悪く、実用的ではなかった。この熱交換効率を改善したものとして特開２００４−５１３３２００９年１０月２１日号公報他いくつかの特許が発明され、実用化されている。例えば、特開２００９−１５０６３２号公報によって知られている。空気を加湿すると気化現象が生じ潜熱が奪われる事により、その空気の湿球温度迄空気の温度は冷却される。しかし、同時に被冷却空気は加湿される。この原理は加湿冷却として下記特許文献などにより広く知られ、それを利用した気化式冷却器も広く作られ販売されている。放出する空気の加湿を望まない場合には、加湿冷却されるゾーン（ウエット・チャネル）と被冷却空気の通るゾーン（ドライ・チャネル）とを分離し、加湿冷却ゾーンで冷却された温度を熱交換により、被冷却空気のゾーンに伝えて、被冷却ゾーンの空気の顕熱のみを冷却するという方式。いわゆる、間接式気化式冷却器という製品も既に製作販売されている。
【先行技術文献】
【０００３】
【特許文献１】  特表２００４−５１３３２０号公報
【特許文献２】  特開２００７−１４７１１７号公報
【特許文献３】  特開２００９−１５０６３２号公報
【０００４】  特許文献１の発明は、下部に配置した水槽から毛細管現象で吸い上げた水を気化するウエットサイドを通過させる気体の流れとこのウエットサイドの隣接するドライサイド（被冷却流体を通過させる）を通過する流体を熱交換により冷却するが、この両者の間に配置する基板に多数の孔を空けてあり、これに水が流れて冷却効率を上げるもので、ウエットサイドとドライサイドを通過する気体と流体の流れは直交するものであり熱交換率が好ましいものではなかった。
特許文献２に記載される発明の冷却装置は、空気の流通する通路を形成する基板の形状を九十九折にしたものである。このような構造では熱交換効率が悪く、実用的には装置が嵩張り、コンビニエンスストアなどの店に設置するにはコスト高となっていた。従って、一般家庭に設置するような小型に形成できなかった。
【０００５】  更に、特許文献３の流路基盤は、合成樹脂で形成してあるが、これら流路基盤の間隔を維持するスペーサーの１平方当たりの数が多く、円形に形成してあるので各チャンネル内を通過する空気の乱急流の影響を受け、円滑な空気の流れが得られず、冷却効率が低下していた。
そのため基盤の熱交換効率が低く、間接式気化式冷却装置としては小型に製造できなかった。
【考案の概要】
【考案が解決しようとする課題】
【０００６】  本考案の間接式気化式冷却装置は、前記従来の間接式気化式冷却装置における冷却効率を改善し、小型にして全体がコンパクトな一般家庭にも設置できる冷却装置を提供するものである。
そのためにドライ・チャネル内での乱気流の発生を低下させ、かつ、熱交換率を上げ、発生する冷却熱を、ドライ・チャネルを通過する被冷却空気に最大限の熱交換効率で伝達する間接式気化式冷却装置を提供することである。
また、本考案の間接式気化式冷却装置は空気を主体にした機器であるので、商業用を考える時、機器の圧力損失を最小にし、安価に大量生産に適する製作方法を提供するものである。【０００７】  本考案の間接式気化式冷却装置に使用する基盤は、上記の問題点を改善すべく改良工夫することを課題としたものである。
また、本考案の課題は、中空体の形状を角状又はコルゲーション状とし、気体の流通性をよくしたプラスチック構造体を基盤に使用する簡易に製造できる間接式気化式冷却装置を提供することである。
本考案の課題は、ドライ・チャネル及びウエット・チャネルを形成する基盤としてコンパクトで、冷却効率のよい、中空体の形状を角状又はコルゲーション状とし、気体の流通性をよくしたプラスチック構造体を使用する廉価な間接式気化式冷却装置を提供することである。
【課題を解決するための手段】
【０００８】  本考案の課題は、以下の構成によって達成できる。
気化現象を生じさせる為のウエット・チャネルと、被冷却空気を通すドライ・チャネルとの間に中空体の形状を角状又はコルゲーション状とし、気体の流通性をよくしたプラスチック構造体を配置し、これらウエット・チャネルとドライ・チャネルとを交互に配置するように積層して多数配列し、この多数配列した前記中空体の形状を角状又はコルゲーション状とし、気体の流通性をよくしたプラスチック構造体内に外気を導入するとともに隣接する前記ウエット・チャネル内に乾燥空気を通過させ、このウエット・チャネル内の水の気化現象により前記中空体の形状を角状又はコルゲーション状とし、気体の流通性をよくしたプラスチック構造体を冷却し、前記中空体の形状を角状又はコルゲーション状とし、気体の流通性をよくしたプラスチック構造体内を通過する空気を冷却して室内に給気する間接式気化式冷却装置の構成である。【０００９】  本考案の前記課題は、前記中空体の形状を角状又はコルゲーション状とし、気体の流通性をよくしたプラスチック構造体の中空個室を有する芯体の両面に表面が吸水性の保水層を備える基盤によってドライ・チャネルを形成し、この保水層を有する面にスペーサーを配置してウエット・チャンネルを形成し、このウエット・チャネル内に水を供給する間接式気化式冷却装置の構成によって達成できる。【００１０】  本考案の前記課題は、前記基盤の保水層が織布、不織布を織り込んだ親水性の紙または吸着剤を含むシートである間接式気化式冷却装置の構成によって達成できる。【００１１】  本考案の前記課題は、中空体の形状を角状又はコルゲーション状とし、気体の流通性をよくしたプラスチック構造体と中空体の形状を角状又はコルゲーション状とし、気体の流通性をよくしたプラスチック構造体との間に空気の流通を幇助するスペーサーを介在してウエット・チャネルを形成し、被冷却空気の流入口側の端縁に遮蔽壁を突設形成して被冷却空気が進入しないようにするとともに該スペーサーの上側に切欠部を有して排気口を形成する間接式気化式冷却装置の構成によって達成できる。【００１２】  本考案の前記課題は、角状の中空を多数有する中空体の形状を角状又はコルゲーション状とし、気体の流通性をよくしたプラスチック構造体を芯体とし、この中空体の形状を角状又はコルゲーション状とし、気体の流通性をよくしたプラスチック構造体の両表面に保水層を備えた基盤と、この基盤の保水層面に接触し、上側縁の一部を開口切欠して排気口形成し、前記中空体の形状を角状又はコルゲーション状とし、気体の流通性をよくしたプラスチック構造体と同質の材料からなり、空気の流通可能な特殊形状のスペーサーと、を積重して前記スペーサーの排気口を上側にして多数枚重ねて組合せてウエット・チャネル及びドライ・チャネルを形成し、これらを多段に積層して形成し、被冷却空気を前記基盤の中空体の形状を角状又はコルゲーション状とし、気体の流通性をよくしたプラスチック構造体内の中空部分内に流入口側から送入し、給気口側に排出して外部に供給するとともにウエット・チャネルである前記スペーサー内に乾燥空気を導入し、前記スペーサーの上側に設けた排気口から湿気を含む空気を排気し、前記基盤内を通過する被冷却空気を冷却する間���式気化式冷却装置の構成によって達成できる。【００１３】  本考案の間接式気化式冷却装置は、空気と空気の熱交換を行わす方式であるが、この方式としては、大別して特許文献１などに記載されるような被冷却空気ゾーン（ドライ・チャネル）の空気の流れと加湿冷却ゾーン（ウエット・チャネル）の空気の流れとを直交する直交流による方式と両チャンネルの空気の流れが同一方向からそれぞれのチャネルに空気を挿入する並流方式及びウエット・チャネルとドライ・チャネルとでは空気の流れが対向するような向流方式が知られている。
空気の流れが直交、並流と向流にあっては向流の方が、熱交換効率が良いと認められている。【００１４】  本考案に使用する中空体の形状を角状又はコルゲーション状とし、気体の流通性をよくしたプラスチック構造体によって型造され、軽量で、大量生産が容易で、安価であり、この基盤の片側、すなわち、ウエット・チャネル側の表面には保水層が形成され、この保水層は、織布、不織布などからなる親水性の紙などを貼り付けてある。この保水層に吸着剤などを含有させたものを塗布すると保水力が増加する。そのため気化効率がよい。【００１５】  本考案の間接式気化式冷却装置に使用する基盤としては、ウエット・チャネルとドライ・チャネルの間で、湿度・水分の移動があってはならないので、両チャネルの隔壁としては水を透過せず、被冷却空気の流通がよい合成樹脂に等によって成形した芯体に中空である中空体の形状を角状又はコルゲーション状とし、気体の流通性をよくしたプラスチック構造体を使用する。このプラスチックの隔壁は熱交換効率を最大にする為に、厚み０．２ｍｍ程度にするのが好ましい。この基盤の表面に隣接するウエット・チャネルのスペーサーとしては基盤と同じく中空体の形状を角状又はコルゲーション状とし、気体の流通性をよくしたプラスチック構造体を切り抜き成形して形成することができる。【００１６】  本考案の中空体の形状を角状又はコルゲーション状とし、気体の流通性をよくしたプラスチック構造体基盤の両側面に水を湿潤させる為の保水層を形成して前記スペーサーを配置するようにしてウエット・チャネル及びドライ・チャネルを交互に形成する。この保水層としては織布、不織布など繊維の紙又はポリプロピレンなどシートが適当である。この保水層（シート）の厚みとしては０．０５ｍｍ〜０．５ｍｍ位が適当である。市販品のオイコスシート（日清紡績株式会社商品名）が使用できる。
また、この保水層２を形成するに当たり、中空体の形状を角状又はコルゲーション状とし、気体の流通性をよくしたプラスチック構造体の表面に親水性のプラスチック微粒子を溶着させるか、表面に微細な凹凸加工を施ししてもよい。【００１７】  本考案の間接式気化式冷却装置のスペーサーを配置したウエット・チャネル内における気化現象を最大に生じせしめる為には、ウエット・チャネルに導入される水量はじわっと湿っている程度が適正であり、水が流れる様な状態では気化現象が逆に少なくなってしまう。その為には、前記短繊維の膜層に吸着剤を含浸させておき、湿潤膜に水を保持させる。例えば、シリカゲル、スポンジ状酸化チタンなどの吸着剤を被覆する。【００１８】  本考案の間接式気化式冷却装置内の基盤の保水層に水を供給する方法としては、スペーサーの排気口を上側に位置せしめるようにしてスペーサーと基盤と交互に縦に積層配列し、この積層した基盤を水槽内に浸漬して保水層の毛細管現象で水を供給する。この吸水力では基盤の上端まで水が到達しない場合があるので、この基盤の上方から水を散水供給する。この供給方法については後述する。【００１９】  本考案間接式気化式冷却装置のスペーサーにより形成するウエット・チャネル及び基盤（ドライ・チャネル）内に空気を流す方法については一定の方向から流入する方法が好ましい。このドライ・チャネルを通過する空気の一部をウエット・チャネルに流し込む方法としては、色々な方法が考えられるが、本考案においてはドライ・チャネルの空気の出口側（室内への給気）において、機外に静圧を加えるだけで、一部の空気は開口しているスペーサー（ウエット・チャネル）内に流入する（分流型）。【００２０】  このように形成したウエット・チャネル側に導入する空気の量は、基盤内を通過する空気量の３０〜５０％が適切である。この基盤の出口側の機外静圧を変化させることで、ドライ・チャネルから出てくる空気の一部をスペーサー（ウエット・チャネル）内に流入させる。この場合、実験値によると機外静圧として、９０〜１００パスカル程度の静圧をかけると、スペーサー内に約３０％の空気が流れ込む。又、ウエット・チャネルに流入した空気は、スペーサー内で気化現象を生じさせた後はスペーサーの上側に設けた切欠部の排気口より機外へ排気される。【００２１】  本考案間接式気化式冷却装置におけるスペーサー（ウエット・チャネル）内において最大限の気化現象を生じさせる為には、水の供給の流速、分流率の適切な選定が必要である。これらの要素は、実験値によるテスト分析の結果、流路高１〜５ｍｍ、流速１〜５ｍ／秒が適正値である。
【考案の効果】
【００２２】  本考案間接式気化式冷却装置の中空体の形状を角状又はコルゲーション状とし、気体の流通性をよくしたプラスチック構造体の基盤は、多数枚積層しても装置全体を軽量に構成することができる。【００２３】  また、ウエット・チャネルを形成するスペーサーを縦にして上側の一箇所に排気口を設けてあるので、加湿空気の排気が効率よく行われるから冷却効率がよい。特に、積層した基盤を縦型に配列して各チャンネルを縦に形成してあるから配列した基盤の下側を水槽に浸漬することにより、保水層の毛細管現象により水分を基盤表面に吸い上げることができる。水の自然上昇により基盤の保水層に水を供給できる。しかし、供給量が不十分の場合は、上方からウエット・チャネル内に散水を供給する。【００２４】  本考案の間接式気化式冷却装置の排気口４から排気される空気を室内に供給することにより、小型の加湿器として使用することができる。【００２５】  本考案の間接式気化式冷却装置は、在来の直交型間接式気化式冷却器と比較した場合、下記のデータが得られた。
（イ）冷却効果が約３０％アップした。
（ロ）機内圧損は約１／３となった。
【図面の簡単な説明】
【００２６】
【図１】本考案の間接式気化式冷却装置の内部状態を示す部分拡大説明図である。
【図２】図１の基盤の１実施例の斜視図である。
【図３】図１のスペーサーの１実施例の斜視図である。
【図４】本考案の間接式気化式冷却装置の１実施例の概略図である。
【図５】本考案の間接式気化式冷却装置の冷却部の上部に配置する給水部の１実施例を示す説明図である
【図６】本考案の冷却部の第１の実施例を示す説明図である。
【図７】本考案の冷却部の第２の実施例を示す説明図である。
【考案を実施するための形態】
【００２７】  本考案の間接式気化式冷却装置について図面に示す実施例に基づいて説明する。
図１は基盤１の保水層２間にとスペーサー３を配して積重した状態を示すもので、基盤１及びスペーサー３は、芯内に角状の空間を多数配列して空気の流通のよい中空体の形状を角状又はコルゲーション状とし、気体の流通性をよくしたプラスチック構造体により型造してあり、基盤１の外側両面に水の保湿性の優れる保水層２を有する。この保水層２として織布、不織布などの繊維で形成した親水性のシートで形成してある。また、酸化チタン、酸化シリコンなどの水吸着剤の微粒子を溶射若しくは接着した親水膜を形成した水保持の膜層を形成してもよい。
【００２８】  この基盤１の外側面の保水層２に接触するようにスペーサー３を配置し、所定の間隔を設けて基盤１を配するようにしてウエット・チャネルを形成する。このウエット・チャネル内へ被冷却空気、すなわち基盤１内に流入する空気が進入しないようにしてある。このスペーサー３は中空体の形状を角状又はコルゲーション状とし、気体の流通性をよくしたプラスチック構造体で形成し、その上端縁の一部を切欠して排気口４を形成する。このスペーサー３の側壁の乾燥空気の流入面側は開口してあるが、他の側面は遮蔽してある。
【００２９】  これら基盤１とスペーサー３とを積層して重ねて丸棒などによって固着して冷却部とする。この冷却部の下端（底）は水を溜めた水槽５を配置して基盤１の下端を浸漬してある。また、この冷却部の上側に図５に示すような給水部６が載置してある。この給水部６は給水管７、散水ノズル８によって構成され、冷却部の蓋９内に収納するようになっている。
【００３０】  本考案の間接式気化式冷却装置の動作の説明。
基盤１の保水層２面にスペーサー３を介在して基盤１を縦型に配列し、下側を水槽５に浸漬してある。他方、上側には散水部材である給水部６が配設してあり、必要に応じてスペーサー３の上部から基盤１の保水層２に水が供給されている。縦型に配置した基盤（中空体の形状を角状又はコルゲーション状とし、気体の流通性をよくしたプラスチック構造体）１の流入口側より被冷却空気をドライ・チャネル内に挿入する。このときスペーサー３内へは閉塞されて流入しない。基盤１の中空内を通過した空気は基盤１の熱交換によって冷却されて室内への給気口側から排出されて室内に供給される。この出口付近に９０〜１００パスカルの静圧を負荷し、排出された空気の一部がスペーサー３内に吹き込まれ、スペーサー３内を通過し、この空気は基盤１の保水層２内に吸着している水分の気化現象により基盤１を冷却する。この水分を含んだ空気は排気口４より排気される。このようにしてドライ・チャネル内の空気は熱交換によって冷却される。
【００３１】  装置の底部に配置した水槽５に浸漬した基盤１の保水層２に毛管減少により水が供給される。また、必要に応じて基盤１の上端に載置した蓋９の中に配置した給水部６の散水ノズル８から水が供給されて保水層２が潤う。このときドライ・チャネル内に進水しない。
【００３２】  本考案の間接式気化式冷却装置は、冷却部内の被冷却空気の向流方向とスペーサー３（ウエット・チャネル）内の空気の流れが図５に示すように「並行型」にすることもできる。図６に示すように「直交型」にすることも可能である。また、図７に示すように対向流で「分流型」で説明し、スペーサー３内に流量整流板を配置するとよい。
【産業上の利用可能性】
【００３３】（イ）本機は、水の気化現象のみを利用して空気の冷却を行うものであり、一切の冷媒ガスを使用していない。冷媒ガスの使用は地球温暖化の一因とされており、ＣＯ２削減に絶大な効果をもたらす。又、圧縮機を使用しない為に電気、ガス等のエネルギーを一切使用しないので利用価値は極めて広い。
（ロ）外気を直接処理する使用方法の他に、デシカント空調機で除湿された空気をこの間接式気化式冷却器に導入して利用する方法がある。この間接式気化式冷却器のその冷却性能は、入口空気の露点温度が低ければ低い程、気化現象が多く発生するので出口温度は下がり、入口空気の露点を下げる為にデシカント空調機を利用し、デシカント空調機により露点を下げた空気を加湿する事なく、この間接式気化式冷却器で温度を下げるシステムは極めて外調機として利用価値は高い。
【符号の説明】
【００３４】  １        基盤
２        保水層
３        スペーサー
４        排気口
５        水槽
６        給水部
７        給水管
８        散水ノズル
９        蓋
【図１】
0003160534.tif 000003
【図２】
0003160534.tif 000004
【図３】
0003160534.tif 000005
【図４】
0003160534.tif 000006
【図５】
0003160534.tif 000007
【図６】
0003160534.tif 000008
【図７】
0003160534.tif 000009
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
気化現象を生じさせる為のウエット・チャネルと、被冷却空気を通すドライ・チャネルとの間に中空体の形状を角状又はコルゲーション状とし、気体の流通性をよくしたプラスチック構造体の基盤を配置し、これらウエット・チャネルとドライ・チャネルとを交互に配置するように積層して多数配列し、この多数配列した前記プラスチック構造体の基盤内に外気を導入するとともに隣接する前記ウエット・チャネル内に乾燥空気を通過させ、このウエット・チャネル内の水の気化現象により前記プラスチック構造体の基盤を冷却し、該プラスチック構造体の基盤内を通過する外気を冷却させて給気することを特徴とする間接式気化式冷却装置。
【請求項２】
前記プラスチック構造体の中空個室を有する芯体の両面に表面が吸水性の保水層を備える基盤によってドライ・チャネルを形成し、この保水層を有する面にスペーサーを配置してウエット・チャンネルを形成し、このウエット・チャネル内に水を供給することを特徴とする請求項１に記載の間接式気化式冷却装置。
【請求項３】
前記基盤の保水層が織布、不織布を織り込んだ親水性の紙または吸着剤を含むシートであることを特徴とする請求項２に記載の間接式気化式冷却装置。
【請求項４】
多数積層配列した前記プラスチック構造体の基盤と隣接する基盤との間に空気の流通を幇助するスペーサーを介在してウエット・チャネルを形成し、被冷却空気の流入口側の端縁に遮蔽壁を突設形成して被冷却空気が進入しないようにするとともに該スペーサーの上側に切欠部を有して排気口を形成することを特徴とする請求項１乃至請求項３のいずれか１つの項に記載の間接式気化式冷却装置。
【請求項５】
角状の中空を多数有する中空体の形状を角状又はコルゲーション状とし、気体の流通性をよくしたプラスチック構造体を芯体とし、この中空体の形状を角状又はコルゲーション状とし、気体の流通性をよくしたプラスチック構造体の両表面に保水層を備えた基盤と、この基盤の保水層面に接触し、上側縁の一部を開口切欠して排気口形成し、前記中空体の形状を角状又はコルゲーション状とし、気体の流通性をよくしたプラスチック構造体と同質の材料からなり、空気の流通可能な特殊形状のスペーサーと、を積重して前記スペーサーの排気口を上側にして多数枚重ねて組合せてウエット・チャネル及びドライ・チャネルを形成し、これらを多段に積層して形成し、被冷却空気を前記基盤の中空体の形状を角状又はコルゲーション状とし、気体の流通性をよくしたプラスチック構造体の基盤内の中空部分に流入口側から送入し、給気口側に排出して外部に供給するとともにウエット・チャネルである前記スペーサー内に乾燥空気を導入し、前記スペーサーの上側に設けた排気口から湿気を含む空気を排気し、前記基盤内を通過する被冷却空気を冷却することを特徴とする間接式気化式冷却装置。
【請求項６】
ウエット・チャネルからの排気を室内の湿度を増加させ加湿器として使用することを特徴とする請求項１乃至請求項５に記載のいずれか１つの項に記載の間接式気化式冷却装置。